(57)【要約】      （修正有）【課題】天板と脚部とを工夫することにより、幾種類かの大きさ及び高さを調整することができ、再利用可能な組立式の便利な仮設用平台を提供する。【解決手段】方形の天板１の周面に枠体２を固定し、枠体２の四隅に方形の取付部材を固定した平台８と、高位置用接地板１１と中位置用接地板１３の開放側に角から同一間隔をおいて嵌入溝に嵌入する嵌入突出片１４、２０を夫々突設し、高位置用接地板１１と低位置用接地板１２の開放側に角から前記嵌入突出片１４、２０と同一間隔をおいて嵌入溝に嵌入する嵌入突出片１６、１８を夫々突設し、低位置用接地板１２と中位置用接地板１３の開放側に角から前記嵌入突出片と同一間隔をおいて嵌入溝に嵌入する嵌入突出片を突設させた脚部１０とから仮設用平台を構成した。【選択図】    図１
2004173888.tif 000002
【特許請求の範囲】
【請求項１】
方形の天板１の周面に枠体２を固定し、枠体２の四隅に方形の取付部材３を固定し、各取付部材３の枠体２に接する側に両端に噛合せ部６、７を除いて嵌入溝４、５をＬ字形に形成した平台８と、長方形の高位置用接地板１１の長辺側に低位置用接地板１２を高位置高さＨと同じ長さになる様に固定し、短辺側に高位置高さＨと同一長さの中位置用接地板１３を固定し、高位置用接地板１１と中位置用接地板１３の開放側に角から同一間隔をおいて前記嵌入溝４、５に嵌入する嵌入突出片１４、２０を夫々突設し、高位置用接地板１１と低位置用接地板１２の開放側に角から前記嵌入突出片１４、２０と同一間隔をおいて嵌入溝４、５に嵌入する嵌入突出片１６、１８を夫々突設し、低位置用接地板１２と中位置用接地板１３の開放側に角から前記嵌入突出片１４、２０と同一間隔をおいて嵌入溝４、５に嵌入する嵌入突出片１７、２１を突設させた脚部１０とから成る仮設用平台。
【請求項２】
前記各嵌入突出片１４、１６、１７、１８、２０、２１と間隔を置いて天板１の裏面を支持する支持突片１５、１９、２２を高位置用接地板１１、低位置用接地板１２及び中位置用接地板１３に夫々突出させたことを特徴とする請求項１記載の仮設用平台。
【請求項３】
方形の支持板２６の両辺にスライド壁２７、２８を夫々固定し、両スライド壁２７、２８の突合せ部の開放側に角から同一間隔をおいて平板８の両嵌入溝４、５に嵌入する嵌入突出片２９、３０を突出させた継ぎ足用脚部２５を脚部１０の低位置用接地板１２と中位置用接地板１３に対して昇降自在に取付けたことを特徴とする請求項１記載の仮設用平台。
【発明の詳細な説明】
【０００１】
【産業上の利用分野】
この発明は、主に展示会や見本市等における物品の陳列に使用する仮設用平台に関するものである。
【０００２】
【従来の技術】
従来は、現場においてその都度大工作業によってベニア板等適用な資材を用いて、所望の広さ及び高さの平台を製作し、会期終了後は解体して廃棄していた。つまり、従来の平台は一回限りの使用を前提としていた。
【０００３】
【発明が解決しようとする課題】
前記のように現場における大工作業であるため、作業に手間がかかり、且つ人件費が嵩むという大きな問題があった。更に、会期終了後は解体して廃棄するために、廃棄費用が別途必要であり、資源の有効利用の観点から望ましくなく、特に近年は産業廃棄物についての規制も厳しくなりつつある。
【０００４】
そこで、この発明においては天板と脚部とを工夫することにより、幾種類かの大きさ及び高さを調整することができ、再利用可能な組立式の便利な仮設用平台を提供しようとするものである。
【０００５】
【課題を解決するための手段】
この発明は、方形の天板１の周面に枠体２を固定し、枠体２の四隅に方形の取付部材３を固定し、各取付部材３の枠体２に接する側に両端に噛合せ部６、７を除いて嵌入溝４、５をＬ字形に形成した平台８と、長方形の高位置用接地板１１の長辺側に低位置用接地板１２を高位置高さＨと同じ長さになる様に固定し、短辺側に高位置高さＨと同一長さの中位置用接地板１３を固定し、高位置用接地板１１と中位置用接地板１３の開放側に角から同一間隔をおいて前記嵌入溝４、５に嵌入する嵌入突出片１４、２０を夫々突設し、高位置用接地板１１と低位置用接地板１２の開放側に角から前記嵌入突出片１４、２０と同一間隔をおいて嵌入溝４、５に嵌入する嵌入突出片１６、１８を夫々突設し、低位置用接地板１２と中位置用接地板１３の開放側に角から前記嵌入突出片１４、２０と同一間隔をおいて嵌入溝４、５に嵌入する嵌入突出片１７、２１を突設させた脚部１０とから成る仮設用平台を構成することにより上記課題を解決した。又、前記各嵌入突出片１４、１６、１７、１８、２０、２１と間隔を置いて天板１の裏面を支持する支持突片１５、１９、２２を高位置用接地板１１、低位置用接地板１２及び中位置用接地板１３に夫々突出させることにより、更には、方形の支持板２６の両辺にスライド壁２７、２８を夫々固定し、両スライド壁２７、２８の突合せ部の開放側に角から同一間隔をおいて平板８の両嵌入溝４、５に嵌入する嵌入突出片２９、３０を突出させた継ぎ足用脚部２５を脚部１０の低位置用接地板１２と中位置用接地板１３に対して昇降自在に取付けて仮設用平台を構成することにより上記課題を解決せんとするものである。
【０００６】
【実施の形態】
この発明の実施の形態を図面に基づいて詳細に説明する。図２に示すように長方形をしたベニア板で形成した天板１の裏面外周に枠体２を固定し、枠体２の各隅部に方形の取付部材３，３，３，３を固定する。そして、各取付部材３の枠体２と接する側に端部を残して枠体２と平行する嵌入溝４、５をＬ字形に設け、この嵌入溝４、５の端部を噛合せ部６、７として、平台８を形成する。尚、図中９、９は天板１の補強板である。
【０００７】
前記のように構成した平台８は多数準備しておき、広いスペースを必要とする際には、図３に示すように複数枚を当接して必要なスペースを得ることができる。
【０００８】
一方、平台８を支持する脚部１０は図５に示すように、高位置用接地板１１を長方形に形成し、その一方の長辺側に、低位置用接地板１２を高位置の高さＨと同じ長さとなるように直角方向に設け、又一方の短辺側には中位置接地板１３を高位置の高さＨと同一長さを有するように、低位置用接地板１２と接して設ける。
【０００９】
前記高位置用接地板１１の長辺側には中位置用接地板１３と間隔をおいた位置に、前記嵌入溝４、５の一方に嵌入する嵌入突出片１４を、反対側の端部には天板１の裏面を支持する支持突片１５を夫々壁面に沿って水平に突出させる。又、短辺側には低位置用接地板１２との角から前記嵌入突出片１４と同間隔をおいて、前記嵌入溝４、５の一方に嵌入する嵌入突出片１６を壁面に沿って水平に突出させる。
【００１０】
又、前記低位置用接地板１２には高位置用接地板１１の反対側に、中位置用接地板１３と接する角から前記嵌入突出片１４と同一間隔をおいて、前記嵌入溝４、５の一方に嵌入する嵌入突出片１７を壁面に沿って突出させ、低位置用接地板１２の中位置用接地板１３の反対側には、高位置用接地板１１と接する角から嵌入突出片１４と同間隔をおいた位置に、嵌入溝４、５の一方に嵌入する嵌入突出片１８を突出させている。又、嵌入突出片１８及び嵌入突出片１７と間隔をおいて天板１の裏面を支持する支持突片１９を壁面に沿って突出させる。
【００１１】
又、前記中位置用接地板１３には、高位置用接地板１１と接する側に角から嵌入突出片１４と同一間隔をおいて嵌入溝４、５の一方に嵌入する嵌入突出片２０を壁面に沿って突出させ、高位置用接地板１１の反対側に、低位置用接地板１２と接する角から前記嵌入突出片１７と同一間隔を置いて嵌入溝４、５の一方に嵌入する嵌入突出片２１を壁面に沿って突出させている。又、前記嵌入突出片２０と間隔をおいて嵌入突出片２１方向に亘って、平板１の裏面を支持する支持突片２２を壁面に沿って突出させている。
【００１２】
又、前記中位置用接地板１３には、反接地板側にコ字形をした案内レール２３を開放側が低位置用接地板１２に向くように、嵌入突出片２１側の端部から嵌入突出片２０側に亘って固定し、又、前記低位置用接地板１２の反接地板側にコ字形をした案内レール２４をその開放側が中高位接地壁１３側を向くように支持突片１９側の端部から嵌入突出片１８側に亘って固定している。
【００１３】
一方、両案内レール２３、２４で案内される継ぎ足用脚部２５は下記のように構成されている。即ち、長方形をした支持板２６の長辺側にスライド壁２７を、短辺側にスライド壁２８をＬ字形を形成するように固定し、両スライド壁２７、２８に夫々嵌入突出片１７、２１と同一垂直面に嵌入溝４、５の一方に嵌入する嵌入突出片２９、３０を突出させている。
【００１４】
そして、両スライド壁２７、２８の端面を案内レール２４、２３に嵌入してスライドさせ、上昇位置において、支持板２６と高位置用接地板１１との間に適当な支い物（かいもの）を介在させて継ぎ足用脚部２５の高さを保持するようになっている。尚、支持板２６には開放側に昇降の際に用いる突片３１を、又低位置用接地板１２には長方形の窓３２を、又スライド壁２７には丸窓３２を設けている。
【００１５】
本発明の実施の形態は前記のように構成したもので、通常使用の際には継ぎ足用脚部２５は不要なので案内レール２３、２４から取り外した状態で説明する。
【００１６】
まずはじめに、平台８を一枚だけ使用する場合について説明する。これは、図１に示すように、平板１の四隅を高位置Ｈにおいて支持する場合であり、各隅部においては、図６に示すように高位置用接地板１１を接地させ、中位置用接地板１３の嵌入突出片２１を天板１の一方の嵌入溝４に、低位置用接地板１２の嵌入突出片１７を他方の嵌入溝５にそれぞれ嵌入し、噛合せ部６、７に突合せて移動しないように固定し、支持突片１９で天板１の裏面を支持する。
【００１７】
中位置Ｍを保持する際には、図７に示す様に、四箇所において、中位置用接地板１３を接地させ、低位置用接地板１２の嵌入突出片１８を一方の嵌入溝４に、高位置用接地板１１の嵌入突出片１６を他方の嵌入溝５に嵌入して移動しないように固定し、支持突片１９では天板１の裏面を支持する。
【００１８】
低位置Ｌを保持する際には、図８に示すように、低位置用接地板１２を各角部において接地させ、中位置用接地板１３の嵌入突出片２０を一方の嵌入溝４に、高位置用接地板１１の嵌入突出片１４を他方の嵌入溝５にそれぞれ嵌入して固定し、支持突片２２と支持突片１５とで夫々天板１の裏面を支持する。
【００１９】
以上説明したように、一つの脚部１０を高位置Ｈ、中位置Ｍ、低位置Ｌの３段階の高さに変位させて平台８を支持することができる。又、平台８を２枚以上継ぎ足して広いスペースにする際は、図３に示すように、四隅は１枚の場合と同様であるが、図４、図９に示すように、平台８の突合せ個所を１本の脚部１０で支持することになる。高位置Ｈで保持する際には、図９に示すように、高位置用接地板１１を接地させ、一方の平台１０の一方の嵌入溝４に中位置用接地板１３の嵌入突出片２１を、他方の平台１０の一方の嵌入溝５に低位置用接地板１２の嵌入突出片１７を嵌入することにより、一本の脚部１０で隣接した２枚の平台１０を支持させる。なお、対向位置の平台８の突合せ部分も同様に支持する。
【００２０】
次に、平台８を２枚突合せて中位置Ｍで支持する際には、図１０に示すように、中位置用接地板１３を接地させ、突合せ部の一方の平台１０の嵌入溝４に低位置用接地板１２の嵌入突出片１８を嵌入し、他方の平台１０の嵌入溝５に高位置用接地板１１の嵌入突出片１６を嵌入し、低位置用接地板１２の支持突片１９で一方の平台８の天板１の裏面を支持するようにする。尚、他の四隅は通常の支持の場合と同様なので説明を省略する。
【００２１】
次に、平台８を２枚突合せて低位置Ｌで支持する際には、図１１に示すように、一方の天板８の嵌入溝４に中位置用接地板１３の嵌入突出片２０を、他方の平台８の嵌入溝５に高位置用接地板１１の嵌入突出片１４をそれぞれ嵌入し、中位置用接地板１３の支持突片１５で他方の平台８の天板１の裏面を支持する。対向する突合せ部は前記のように支持するが、他の四隅は通常の支持の場合と同様であるので説明を省略する。
【００２２】
次に、高位置以上の高さＨプラスαを保持しようとする際には、図５に示すように脚部１０の両案内レール２３、２４に継ぎ足用脚部２５の両スライド壁２７、２８を嵌入し、両嵌入突出片２９、３０を必要高さに位置させ、各高位置用接地板１１を接地させ、高位置用接地板１１と支持板２６との間に適当な支い物（かいもの）を介在させてその高さＨプラスαを保持する。そして、天板８の四隅の各嵌入溝４にスライド壁２８の嵌入突出片３０を各嵌入溝５にスライド壁２７の嵌入突出片２９をそれぞれ嵌入してその高さを保持する。
【００２３】
又、２枚の平台８を突合せて２枚使用する際には、図１２に示すように、突合せ部の一方の平台８の嵌入溝４にスライド壁２８の嵌入突出片３０を、他方の平台８の嵌入溝５にスライド壁２７の嵌入突出片２９をそれぞれ嵌入して対向する平台８、８の突合せ部を支持する。他の四隅は１枚の平台８の支持の場合と同様である。なお、取付板３の各噛合せ部６、７に面ファスナーを粘着することにより、脚部１０等を固定した状態での安定的な組立が可能となる。
【００２４】
【発明の効果】
本発明の実施の態様は前記のように構成作用を有するもので、一個の脚部１０で平台８を高位置、中位置、低位置の３段階の高さに保持することができ、しかも脚部１０の継ぎ足用脚部２５を昇降できるように取付けることにより、高位置より更に高く無段階で高さを調整することができ、非常に便利である。又、平台８を突合せて必要な広さとすることも可能であり、この時にも脚部１０及び継ぎ足用脚部２５は同じものを使用することが出来る。更に、現場において簡単に組み立て及び分解が出来、何回も再利用できるので資源の有効利用の面からも極めて高い価値を有する。
【図面の簡単な説明】
【図１】仮設用平台の斜視図。
【図２】平台の裏面から見た斜視図。
【図３】平台を２枚突合せた状態の斜視図。
【図４】図３の平台を外して示す斜視図。
【図５】脚部と継ぎ足用脚部を組合せて平台に取り付ける状態を示す斜視図。
【図６】高位置Ｈでの平台への取付け要領を示す斜視図。
【図７】中位置Ｍでの平台への取付け要領を示す斜視図。
【図８】低位置Ｌでの平台への取付け要領を示す斜視図。
【図９】高位置Ｈでの２枚の平台の突合せ部への取付け要領を示す斜視図。
【図１０】中位置Ｍでの２枚の平台の突合せ部への取付け要領を示す斜視図。
【図１１】低位置Ｌでの２枚の突合せ部への取付け要領を示す斜視図。
【図１２】脚部と継ぎ足用脚部を組合せて高位置Ｈより更に高い位置Ｈプラスαで２枚の平台の突合せ部を支持する状態を示す斜視図。
【符号の説明】
１    天板
２    枠体
３    取付部材
４    嵌入溝
５    嵌入溝
６    噛合せ部
７    噛合せ部
８    平台
９    補強板
１０    脚部
１１    高位置用接地板
１２    低位置用接地板
１３    中位置用接地板
１４    嵌入突出片
１５    支持突片
１６    嵌入突出片
１７    嵌入突出片
１８    嵌入突出片
１９    支持突片
２０    嵌入突出片
２１    嵌入突出片
２２    支持突片
２３    案内レール
２４    案内レール
２５    継ぎ足用脚部
２６    支持板
２７    スライド壁
２８    スライド壁
２９    嵌入突出片
３０    嵌入突出片
３１    突片
３２    窓
３３    丸窓
Ｈ    高位置
Ｍ    中位置
Ｌ    低位置
【図１】
2004173888.tif 000003
【図２】
2004173888.tif 000004
【図３】
2004173888.tif 000005
【図４】
2004173888.tif 000006
【図５】
2004173888.tif 000007
【図６】
2004173888.tif 000008
【図７】
2004173888.tif 000009
【図８】
2004173888.tif 000010
【図９】
2004173888.tif 000011
【図１０】
2004173888.tif 000012
【図１１】
2004173888.tif 000013
【図１２】
2004173888.tif 000014